(57)【要約】【課題】  大気中、高密度ガス中あるいは固体媒質中に超短パルスレーザビームを伝播させる場合に、ビーム断面の予め決められた任意の位置にフィラメントを生成できるようにする。また、ビーム断面上に発生するフィラメントの数、フィラメントの位置を自在に制御可能とする。【解決手段】  反射面に局部的な凸部または凹部を有する反射ミラーを超短パルスレーザビームの光路上に配置し、超短パルスレーザビームを反射させる際に、ビームの波面にミラー表面の局部的な凸部または凹部に応じた局所的な空間変調を与えてこれを起点（種）としてフィラメントをビーム伝播の過程で形成するようにしている。このフィラメントは、反射ミラーの表面の局部的な凸部または凹部の存在により安定して生成されることから、局部的な凸部または凹部を任意の位置に形成することで、ビーム断面の任意の位置に一意的に連続して形成される。【選択図】図３
2006269878.tif 000002
【特許請求の範囲】
【請求項１】
局部的な凸部または凹部を有する反射ミラーに超短パルスレーザビームを照射し、前記局部的凸部または凹部により反射したビーム断面の任意の部位に強度斑を作ることでフィラメント発生の起点とするフィラメントの形成方法。
【請求項２】
局部的な凸部または凹部を有する反射ミラーに超短パルスレーザビームを照射し、前記局部的凸部または凹部により反射したビーム断面の任意の部位に強度斑を作ることでフィラメント発生の起点を生成する工程と、前記局部的凸部または凹部に比して大域的な凹部を前記ビーム断面の前記局部的な凸部または凹部の周りに相当する位置に形成する反射ミラーに超短パルスレーザビームを照射し、前記大域的な凹部により反射した前記超短パルスレーザビームのエネルギあるいは周辺の強度斑を前記強度斑の周りに集合させる工程とを、同時または連続的に実施することで反射ビーム断面の任意の部位に任意の密度のフィラメントを生成させるものであるフィラメントの形成方法。
【請求項３】
前記反射ミラーを反射面が任意に変形可能な可変形ミラーとし、前記局部的な凸部または凹部の周りに前記局部的凸部または凹部に比して大域的な凹部を形成することにより、前記局部的凸部または凹部により反射したビーム断面の任意の部位に強度斑を作ることでフィラメント発生の起点とすると共に前記可変形ミラーの大域的な凹部により前記フィラメント周辺に反射した超短パルスレーザビームのエネルギあるいは周辺の強度斑を前記強度斑の周りに集合させるものである請求項２記載のフィラメントの形成方法。
【請求項４】
前記局部的凸部または凹部により反射したビーム断面の任意の部位に強度斑を作る工程と、大域的な凹部により反射した前記超短パルスレーザビームのエネルギあるいは周辺の強度斑を前記強度斑の周りに集合させる工程とを、局部的な凸部または凹部を有する反射ミラーと前記局部的凸部または凹部に比して大域的な凹部を前記ビーム断面の前記局部的な凸部または凹部の周りに相当する位置に形成する反射ミラーとの別々の反射ミラーで順番に反射させることで実施されるものである請求項２記載のフィラメントの形成方法。
【請求項５】
前記大域的凹部の形成位置を制御することでビーム断面上におけるフィラメントの発生位置を制御するものである請求項２から４のいずれか１つに記載のフィラメントの形成方法。
【請求項６】
超短パルスレーザビームの光路上に配置されて前記超短パルスレーザビームを反射する反射ミラーであって、その反射面に局部的な凸部または凹部を有し、前記局部的凸部または凹部により反射したビーム断面の任意の部位にフィラメント発生の起点となる強度斑を作ることを特徴とするフィラメント発生装置。
【請求項７】
前記反射ミラーは反射面が任意に変形可能な可変形ミラーであり、かつ前記可変形ミラーの背面側に複数のアクチュエータを備え、前記アクチュエータの駆動により任意の前記局部的な凸部または凹部の周りに該局部的凸部または凹部に比して大域的な凹部を形成するものである請求項６記載のフィラメント発生装置。
【請求項８】
超短パルスレーザビームの光路上に配置されて前記超短パルスレーザビームを連続的に反射する第１の反射ミラーと第２の反射ミラーを備え、前記第１の反射ミラーは局部的凸部または凹部を反射面に有し、かつ前記第２反射ミラーは前記ビーム断面の前記局部的凸部または凹部の周りに相当する位置に前記第１反射ミラーの局部的凸部または凹部に比して大域的な凹部を形成する反射面を有し、前記第１の反射ミラーで反射したビーム断面の任意の部位に強度斑を作ると共に前記第２の反射ミラーで反射した超短パルスレーザビームのエネルギあるいは周辺の強度斑を前記強度斑の周りに集合させるフィラメント発生装置。
【請求項９】
前記第２の反射ミラーは反射面が任意に変形可能な可変形ミラーであり、かつ前記可変形ミラーの背面側に複数のアクチュエータを備え、前記アクチュエータの駆動により任意の前記局部的な凸部または凹部の周りに該局部的凸部または凹部に比して大域的な凹部を形成するものである請求項８記載のフィラメント発生装置。
【請求項１０】
前記可変形ミラーと前記アクチュエータとは接着剤による直付けで連結され、前記接着剤の固化時の収縮により前記局部的な凸部または凹部が形成されたものである請求項７または９記載のフィラメント発生装置。
【請求項１１】
前記反射ミラーの表面の鏡面に形成される蒸着膜の厚さの制御によって前記局部的な凸部または凹部が形成されたものである請求項１０記載のフィラメント発生装置。
【請求項１２】
前記アクチュエータは前記反射ミラーの背面に固着されているロッドを含み、該ロッドが当該アクチュエータの可動部に対して切り離し可能に連結されているものである請求項７，９，１０のいずれか１つに記載のフィラメント発生装置。
【発明の詳細な説明】
【技術分野】
【０００１】
本発明は、避雷針レーザ誘導、大気環境計測、光増幅、粒子加速およびレーザ加工などに利用可能な超短パルスレーザビームのフィラメントの形成方法及び装置に関する。さらに詳述すると、本発明は超短パルスレーザビームに生成されるフィラメントを意図的に任意の位置に形成する方法及び装置に関する。
【背景技術】
【０００２】
現在、レーザビームの利用の試みは、避雷針レーザ誘導、大気環境計測、光増幅、粒子加速およびレーザ加工など、広範囲にわたるものとなっている（非特許文献１）。例えば、落雷事故から設備を保護するために長波長の炭酸ガスレーザや短波長のエキシマレーザを用いて落雷を避雷針に誘導するレーザ誘雷技術、紫外域短波長のエキシマレーザを用いた半導体製造ステッパー、各種レーザー加工などがそれぞれ報告されている。しかしながら、上記報告のいずれにおいても、電界強度が強くないため伝播によりビームが広がり、連続したプラズマチャンネルができない、長尺なプラズマチャンネルが形成できないなどの、レーザーの特徴に依存する問題点が指摘されている。
【０００３】
一方、長尺で連続したプラズマチャンネルが得られるレーザビームとして、パルス幅が数１０ｆｓ、パルスエネルギーが数１００ｍＪの超短パルスレーザビームが報告されている（非特許文献２）。
【０００４】
この超短パルスレーザは、電界強度が極めて高い高強度パルスレーザであるため、空気の屈折率を変えたりプラズマを発生させ、フィラメンテーションを容易に起こす。つまり、超短パルスレーザビームを大気中に伝播させる際、一般にビーム断面強度分布は中央部ほど高いため、空気の屈折率が周辺部よりも中央部の方が大きくなってあたかも凸レンズが存在しているかのような挙動を示す。その反面、凸レンズ効果によりビームが収束すると、光電離によってプラズマが生成され、そのプラズマによりビーム断面の中央部の屈折率が周辺部よりも小さくなって、今度はあたかも凹レンズが存在しているかのような挙動を示す。この２つの挙動が平衡して、レーザビームが絞られた状態のままで伝播される。因みに、このことをセルフチャネリング、絞られた状態で伝播するレーザビームのことをフィラメントと呼ぶ。
【０００５】
したがって、超短パルスレーザビームを大気中に伝播させた場合、レーザビームに僅かな波面歪みがあると、たとえ図１５に示すような均一なビーム断面強度分布でも、伝播に伴い強度斑が発生してビーム断面中に超高強度の部分が現れることでフィラメントが容易に生成される（図１６参照）。
【０００６】
この超短パルスレーザビームのフィラメントは、レーザビームが絞られた状態のままで遠距離への伝播を可能として大気中などでの遠距離の伝播によっても必要な強度分布を維持できるため、長尺かつ連続のプラズマチャンネルが形成できると共に、自己位相変調により多波長かつ連続なスペクトルを形成する。このことから、前述のレーザ誘雷技術の他、多種同時計測による大気環境計測、エアロゾルや雲の成分計測、構造物に付着した物質の成分計測、フィラメントを光増幅媒質にして誘導放出させる光増幅、電子を加速させる粒子加速、そして媒質の組成を変化させるレーザ加工など多分野での応用が期待されている。
【０００７】
【非特許文献１】IEEJ Trans.EIS,Vol.123,No.10,2003  P.1714-1720「ラマン散乱とミー散乱を併用したレーザレーダを用いた大気観測」
【非特許文献２】レーザ研究２００３年１１月  P.730-736「超短パルス超高強度レーザ用いた極短パルス電子ビームの発生とその応用」
【発明の開示】
【発明が解決しようとする課題】
【０００８】
しかしながら、超短パルスレーザビーム中でのフィラメントの発生は偶然的なものであり、ビーム断面のどの部位に生成されるか、またそれが連続的に発生するのか否かについても不明である。ビーム断面のどの部位にフィラメントが発生するかは、初期の波面歪みや大気中に存在する気体密度の変化などに起因するものであり、発生位置の特定もできなければ、制御もできないものであった。即ち、従来の超短パルスレーザの利用においては、予め決められた位置にフィラメントを形成することも、またフィラメントが形成される位置を制御したり、フィラメントの数を制御することもできない問題を有している。また、大小様々なフィラメントが同時発生して互いに競合するため、制御性が悪いという問題を有している。
【０００９】
本発明は、大気中、高密度ガス中あるいは固体媒質中に超短パルスレーザビームを伝播させる場合に、ビーム断面および伝播経路の予め決められた任意の位置にフィラメントを生成できるフィラメント形成方法および装置を提供することを目的とする。また、本発明は、ビーム断面上に発生するフィラメントの数、フィラメントの位置を自在に制御可能とするフィラメント形成方法および装置を提供することを目的とする。
【課題を解決するための手段】
【００１０】
かかる目的を達成するために、本発明のフィラメントの形成方法は、局部的な凸部または凹部を有する反射ミラーに超短パルスレーザビームを照射し、局部的凸部または凹部により反射したビーム断面の任意の部位に強度斑を作ることでフィラメント発生の起点とするようにしている。
【００１１】
局部的な凸部または凹部を有する反射ミラーに照射された超短パルスレーザビームは、反射の際にミラー表面の局部的な凸部または凹部に応じた局所的な空間変調がビームの波面に与えられ、これが起点（種）となってフィラメントをビーム伝播の過程で形成する。このフィラメントは、反射ミラーの表面の局部的な凸部または凹部の存在により安定して生成されることから、局部的な凸部または凹部を任意の位置に形成することで、ビーム断面の任意の位置に一意的に連続して形成される。
【００１２】
また、本発明のフィラメントの形成方法は、局部的な凸部または凹部を有する反射ミラーに超短パルスレーザビームを照射し、局部的凸部または凹部により反射したビーム断面の任意の部位に強度斑を作ることでフィラメント発生の起点を生成する工程と、局部的凸部または凹部に比して大域的な凹部をビーム断面の局部的な凸部または凹部の周りに相当する位置に形成する反射ミラーに超短パルスレーザビームを照射し、大域的な凹部により反射した超短パルスレーザビームのエネルギあるいは周辺の強度斑を強度斑の周りに集合させる工程とを、同時または連続的に実施することで反射ビーム断面および伝播経路の任意の位置に任意の密度のフィラメントを生成させるものである。この場合、局部的凸部又は凹部の周りあるいは周りに相当する位置に大域的な凹部が形成されることにより、局部的凸部または凹部により反射したビーム断面の任意の部位に形成された強度斑の周りあるいはそれに相当する位置に、大域的な凹部により反射した超短パルスレーザビームのエネルギあるいは周辺の強度斑が集合し、中心となる強度斑の電界強度をさらに強くして、反射ビーム断面および伝播経路の任意の位置に任意の密度のフィラメントを生成させることを可能とする。
【００１３】
ここで、フィラメント発生の起点となる強度斑を生成する工程と超短パルスレーザビームのエネルギを前記強度斑の周りに集合させる工程とを同時に実施するフィラメント形成方法としては、例えば反射ミラーを反射面が任意に変形可能な可変形ミラーとし、局部的な凸部または凹部の周りに局部的凸部または凹部に比して大域的な凹部を形成することである。この場合には、局部的凸部または凹部により形成される強度斑の生成位置と大域的凹部により起こる超短パルスレーザビームのエネルギあるいは周辺の強度斑の集合位置とが予め関連づけられており、ビーム断面の任意位置の強度斑の電界強度をより確実にさらに強くする。
【００１４】
また、フィラメント発生の起点を生成する工程と超短パルスレーザビームのエネルギを強度斑の周りに集合させる工程とを連続的に実施するフィラメント形成方法としては、例えば局部的な凸部または凹部を有する反射ミラーと局部的凸部または凹部に比して大域的な凹部をビーム断面の局部的な凸部または凹部の周りに相当する位置に形成する反射ミラーとの別々の反射ミラーで順番に反射させることがある。この場合には、局部的凸部または凹部により反射後のビーム断面の任意の位置に一意的に形成される強度斑とは独立して大域的凹部により起こる超短パルスレーザビームのエネルギあるいは周辺の強度斑の集合が制御される。
【００１５】
さらには、本発明にかかるフィラメントの形成方法は、大域的凹部の形成位置を制御することでビーム断面上におけるフィラメントの発生位置を制御することが可能である。
【００１６】
また、本発明のフィラメント発生装置は、超短パルスレーザビームの光路上に配置されて超短パルスレーザビームを反射する反射ミラーであって、その反射面に局部的な凸部または凹部を有し、局部的凸部または凹部により反射したビーム断面の任意の部位にフィラメント発生の起点となる強度斑を作るものである。また、本発明のフィラメント発生装置は、超短パルスレーザビームの光路上に配置されて超短パルスレーザビームを連続的に反射する第１の反射ミラーと第２の反射ミラーを備え、第１の反射ミラーは局部的凸部または凹部を反射面に有し、かつ第２反射ミラーはビーム断面の局部的凸部または凹部の周りに相当する位置に第１反射ミラーの局部的凸部または凹部に比して大域的な凹部を形成する反射面を有し、第１の反射ミラーで反射したビーム断面の任意の部位に強度斑を作ると共に第２の反射ミラーで反射した超短パルスレーザビームのエネルギあるいは周辺の強度斑を前記強度斑の周りに集合させるようにしたものである。
【００１７】
ここで、本発明のフィラメント発生装置において、反射ミラーあるいは第２の反射ミラーは反射面が任意に変形可能な可変形ミラーであり、かつ可変形ミラーの背面側に複数のアクチュエータを備え、アクチュエータの駆動により任意の局部的な凸部または凹部の周りにこの局部的凸部または凹部に比して大域的な凹部を形成するものであることが好ましい。
【００１８】
この場合には、アクチュエータで可変形ミラーを裏面から押すかまたは引っ張ることによって任意の曲率あるいは形状に可変形ミラーを変形させることによって、反射後のビーム断面の任意位置に超短パルスレーザビームのエネルギあるいは強度斑を集合させる大域的な凹部が反射面に形成される。局部的凸部または凹部を有しかつ大域的に変形させた可変形ミラーで超短パルスレーザビームが反射されると、そのビーム断面に可変形ミラーの局部的な凸部または凹部でフィラメント発生起点となる強度斑が生成されると同時に、曲率調整された大域的な窪みによって強度斑の周辺にさらに超短パルスレーザビームのエネルギあるいは周辺の強度斑が集合され、電界強度をさらに強くして任意の密度あるいは単一のフィラメントが生成される。しかも、大域的な凹部の中心に向けて超短パルスレーザビームのエネルギあるいは周辺の強度斑が集合することによってより強い電界強度の強度斑が形成されるため、ビーム断面上における大域的な凹部の形成位置を制御することで、ビーム断面上におけるフィラメントの発生位置を制御できる。
【００１９】
さらに、可変形ミラーとアクチュエータとは接着剤による直付けで連結され、接着剤の硬化または固化時の収縮または応力により局部的な凸部または凹部が形成されたものであることが好ましい。この場合には、反射ミラーとロッドとを連結すると同時に接着剤の硬化または固化に伴って反射ミラーの表面に局部的な凸部又は凹部が形成されるので、局部的な凸部または凹部と大域的凹部とが同心状に形成可能となる。したがって、アクチュエータの駆動で可変形ミラーを大域的に凹に変形させることで、可変形ミラーに局部的に生じさせた凸部または凹部を中心にして大域的な凹部が形成され、レーザービームエネルギーあるいは周辺の強度斑を中心の強度斑の周辺に集中させて電界強度をさらに強くするので、任意の密度のフィラメントが生成される。しかも、特定の局部的な凸部または凹部を中心に反射ミラー全体を大域的に凹部を形成するようにアクチュエータを駆動させて変形させれば、ビーム断面上の任意の位置に単一あるいは任意密度のフィラメントを発生させ得る。
【００２０】
さらに、反射ミラーの反射面に形成される局部的な凸部または凹部は、上述の如き接着剤の固化時のミラーの局部的変形によって形成される場合に限られず、反射ミラーの表面の鏡面に形成される蒸着膜の厚さを制御することによって形成するものでも良い。この場合には、反射ミラーの表面に形成される局部的な凸部または凹部の位置はアクチュエータが連結される位置に限定されない。
【００２１】
また、本発明のフィラメント発生装置は、アクチュエータは反射ミラーの背面に固着されているロッドを含み、該ロッドが当該アクチュエータの可動部に対して切り離し可能に連結されているものであることが好ましい。この場合には、反射ミラーに固着されたロッドとアクチュエータの駆動部に固着された可動部との切り離しによって、可変形ミラーの取り替えを可能とする。
【発明の効果】
【００２２】
請求項１記載の発明にかかる超短パルスレーザビームのフィラメント形成方法によれば、反射ミラーの局部的な凸部または凹部の存在により、反射後の超短パルスレーザビームの波面に局所的な空間変調が与えられ、これが起点（種）となってフィラメントがビーム伝播の過程で生成されるので、反射ミラーの表面の局部的な凸部または凹部の存在によりビーム断面の任意位置に安定してフィラメントが生成される。したがって、反射ミラー表面の局部的な凸部または凹部を任意の位置に形成することで、ビーム断面の任意の位置に一意的にフィラメントを連続して安定的に形成できる。
【００２３】
また、請求項２記載の発明にかかるフィラメント形成方法によれば、局部的凸部または凹部により反射したビーム断面の任意の位置に形成された強度斑の周りに、大域的な凹部により反射した超短パルスレーザビームのエネルギあるいは周辺の強度斑を集合させて任意の位置の強度斑の電界強度をさらに強くすることができるので、反射ビーム断面の任意の位置に任意の密度若しくは単一のフィラメントをさらに容易に安定生成させることを可能とする。
【００２４】
また、請求項３記載の発明にかかるフィラメント形成方法によれば、局部的凸部または凹部により形成される強度斑と大域的凹部により起こる超短パルスレーザビームのエネルギあるいは周辺の強度斑の集合とが予め位置関係を関連づけて行えるので、より確実にビーム断面の任意位置の強度斑の電界強度をさらに強くすることができ、より容易にフィラメントをビーム断面の任意位置に形成できる。
【００２５】
また、請求項４記載の発明にかかるフィラメント形成方法によれば、局部的凸部または凹部により反射後のビーム断面の任意の位置に一意的に形成される強度斑とは独立して大域的凹部により起こる超短パルスレーザビームのエネルギの集合あるいは強度斑の集合を制御できるので、大域的凹部の曲率、曲率中心位置、形状などを制御することによりビーム断面におけるフィラメントの形成位置、強度、密度などを制御できる。
【００２６】
さらに、請求項５記載のフィラメントの形成方法によると、大域的凹部の形成位置を制御することでビーム断面上におけるフィラメントの発生位置を制御することが可能であるので、反射ミラーの表面のフィラメント生成の起点となる局部的な凸部または凹部の位置を変更しなくとも、反射ミラー表面に形成される大域的凹部の形成位置を制御することでフィラメントが顕著に形成される位置、高密度のフィラメントが形成される位置を制御できる。
【００２７】
また、請求項６記載の発明にかかるフィラメント形成装置によれば、反射ミラーを超短パルスレーザビームの光路上に配置するだけで、その反射ビームの波面の任意の位置即ち局部的な凸部または凹部に応じた位置に局所的な空間変調を与え、これが起点（種）となってフィラメントをビーム伝播の過程で形成することを可能とする。このフィラメントは、反射ミラーの表面の局部的な凸部または凹部の存在により安定して生成されることから、局部的な凸部または凹部を任意の位置に形成することで、ビーム断面の任意の位置に一意的に連続して形成できる。
【００２８】
また、請求項８記載の発明にかかるフィラメント形成装置によれば、局部的凸部または凹部により反射後のビーム断面の任意の位置に一意的に形成される強度斑とは独立して大域的凹部により起こる超短パルスレーザビームのエネルギの集合あるいは強度斑の集合を制御できるので、第１の反射ミラーの位置制御あるいは交換による局部的凸部または凹部のビーム断面上における位置変更と、大域的凹部の曲率、曲率中心位置、形状などの制御により、ビーム断面におけるフィラメントの形成位置、強度、密度などを制御できる。即ち、第１の反射ミラーと第２の反射ミラーとを独立して制御できるので、第１の反射ビームのｘ−ｙ方向への位置制御あるいは異なる位置に局部的凸部または凹部を有する別種の第１の反射ミラーとの交換による入力ビームに対する局部的凸部または凹部の位置修正を可能とすると共に、第２の反射ミラーによる大域的凹部の曲率の変化を任意に可能とする。
【００２９】
また、請求項７並びに９記載の発明にかかるフィラメント形成装置によれば、任意の曲率あるいは形状に可変形ミラーを変形させることにより、反射後のビーム断面の任意位置に超短パルスレーザビームのエネルギあるいは強度斑を集合させる大域的な凹部を反射面に形成できるので、その反射面で反射された超短パルスレーザビームのビーム断面には可変形ミラーの局部的な凸部または凹部でフィラメント発生起点となる強度斑が生成されると同時に、ミラー反射面の大域的な凹部によって強度斑の周辺にさらに超短パルスレーザビームのエネルギあるいは周辺の強度斑が集合して、大気などでの伝播中に任意の密度あるいは単一のフィラメントが生成される。しかも、ビーム断面上における大域的な凹部の形成位置を可変形ミラーの変形によって制御することで、ビーム断面上におけるフィラメントが発生する位置を制御できる。
【００３０】
また、請求項１０記載の発明にかかるフィラメント形成装置によれば、アクチュエータにより大域的な凹部または凸部を形成する際の中心となりうるアクチュエータの軸と同軸上に局部的凸部または凹部を形成できるので、レーザービームエネルギーを強度斑の周辺に集中させて、局部的な凸部あるいは凹部での反射より形成される起点を中心にしてエネルギを合流させ、任意の密度のフィラメントを生成させ得る。しかも、可変形ミラーの裏面にアクチュエータの先端を直付けする接着剤の硬化または固化に伴って可変形ミラーの反射面に局部的な凸部または凹部を形成するようにしているので、局部的な凸部または凹部の形成が簡単である。
【００３１】
請求項１１記載の発明にかかるフィラメント形成装置によれば、反射ミラーの表面に形成される局部的な凸部または凹部の位置は、可変形ミラーがアクチュエータに連結される位置に限られず、反射面の任意の位置に形成できるので、フィラメントの生成の起点となる強度斑の位置をアクチュエータが連結される位置に限定されない。
【００３２】
また、請求項１２記載の発明にかかるフィラメント形成装置によれば、可変形ミラーの反射面の反射特性の劣化など、反射ミラーに不具合が発生したときには、反射ミラーの裏面に連結されたロッドをアクチュエータ本体から切り離すことによって、反射ミラー部分だけの交換を可能とし、アクチュエータを含む支持部材側の装置全体はそのまま再使用できるので経済的である。
【発明を実施するための最良の形態】
【００３３】
以下、本発明の構成を図面に示す最良の形態に基づいて詳細に説明する。
【００３４】
本発明のフィラメントの形成方法は、局部的な凸部または凹部を有する反射ミラーに超短パルスレーザビームを照射し、局部的凸部または凹部により反射したビーム断面の任意の部位に強度斑を作ることでフィラメント発生の起点とするものである。
【００３５】
即ち、局部的な凸部または凹部を有する反射ミラーを超短パルスレーザビームの光路上へ介装することにより、超短パルスレーザビームが反射する際に、ミラー表面の局部的な凸部または凹部に応じた局所的な空間変調がビームの波面に与えられ、これが起点（種）となってフィラメントをビーム伝播の過程で形成する。このフィラメントは、反射ミラーの表面の局部的な凸部または凹部の存在により安定して生成されることから、局部的な凸部または凹部を任意の位置に形成することで、ビーム断面の任意の位置に一意的に連続して形成される。尚、局部的な凸部または凹部は、反射ミラーの表面・反射面のビームが照射される領域内の任意の位置に少なくとも１つは設けられるが、必要に応じて２カ所以上設けることも可能である。
【００３６】
ここで、局部的凸部または凹部により強度斑を作る工程と同時にあるいは前後して、局部的凸部または凹部に比して大域的な凹部を有する反射ミラーで超短パルスレーザビームを反射させることにより、超短パルスレーザビームのエネルギあるいは周辺の強度斑を大域的凹部の中心に向けて集合させるようにすれば、フィラメント生成の起点となる強度斑の電界強度をより強くしてビーム伝播中のフィラメント生成をより確実なものとできる。より具体的には、局部的凸部または凹部の周りあるいはビーム断面の局部的な凸部または凹部の周りに相当する位置に、局部的凸部または凹部に比して大域的な凹部を有する反射ミラーで超短パルスレーザビームを反射させることにより、反射ビームのエネルギあるいは周辺の強度斑を中心となる強度斑の周りに集合させて、フィラメント生成の起点となる強度斑の電界強度をより強くしてビーム伝播中のフィラメント生成をより確実なものにすると共に反射ビーム断面の任意の部位に任意の密度のフィラメントを生成させることを可能とする。
【００３７】
また、大域的な凹部の形成位置を制御することで、ビーム断面上におけるフィラメントの発生位置を制御できる。即ち、反射ミラーの反射面に予め形成されている局部的な凸部または凹部により、ビーム伝播の過程でビームの波面にフィラメントを形成する起点（種）となる局所的な空間変調がビームが照射される領域内の局部的な凸部または凹部の数だけ与えられて反射ビームに形成されるが、その内の一部の強度斑について超短パルスレーザビームのエネルギあるいは周辺の強度斑が集合するように大域的凹部を反射面に形成すれば、大域的凹部の中心にある強度斑の電界強度がより強くされることによって、更には周辺の強度斑が集合ないし合流することによって、ビーム断面中の大域的凹部の中心に位置する場所に確実により密度の高いあるいは強いフィラメントが生成される。そこで、大域的な凹部の形成位置を制御することで、ビーム断面上の任意位置に任意密度あるいは数のフィラメントを発生させるように制御できる。
【００３８】
上述のフィラメント発生起点の生成工程と超短パルスレーザビームのエネルギあるいは周辺の強度斑を強度斑の周りに集合させる工程とは、同時に実施する場合ばかりでなく、いずれかを先に実施しても良い。しかし、同時あるいは超短パルスレーザビームのエネルギあるいは周辺の強度斑を強度斑の周りに集合させる工程を後で実施する場合の方が、幾つか発生しているフィラメント発生起点のうちの１つあるいは複数の強度斑の電界強度をさらに強くしてフィラメントの生成を促すことが容易である。
【００３９】
ここで、フィラメント発生の起点となる強度斑を生成する工程と超短パルスレーザビームのエネルギを前記強度斑の周りに集合させる工程とを同時に実施するフィラメント形成方法としては、例えば反射面に局部的な凸部または凹部を有しかつこの局部的な凸部または凹部の周りに局部的凸部または凹部に比して大域的な凹部を形成するように任意に変形可能な可変形ミラーの採用である。この場合には、局部的凸部または凹部により形成される強度斑の生成位置と大域的凹部により起こる超短パルスレーザビームのエネルギあるいは周辺の強度斑の集合位置とが予め関連づけられており、ビーム断面の任意位置の強度斑の電界強度をより確実にさらに強くする。
【００４０】
また、フィラメント発生の起点を生成する工程と超短パルスレーザビームのエネルギを強度斑の周りに集合させる工程とを連続的に実施するフィラメント形成方法としては、例えば局部的な凸部または凹部を有する反射ミラーと局部的凸部または凹部に比して大域的な凹部をビーム断面の局部的な凸部または凹部の周りに相当する位置に形成する反射ミラーとの別々の反射ミラーで順番に反射させることがある。この場合には、局部的凸部または凹部により反射後のビーム断面の任意の位置に一意的に形成される強度斑とは独立して大域的凹部により起こる超短パルスレーザビームのエネルギあるいは周辺の強度斑の集合が制御される。
【００４１】
尚、独立制御可能な複数のアクチュエータを備えることによって反射面が任意に変形可能な可変形ミラーを用いる場合には、少なくとも搭載されたアクチュエータの数の大域的凹部が反射面に形成されることから、各大域的凹部の中心に相当する位置ごとに、あるいはその周辺に局部的な凸部または凹部を設けることが好ましい。
【００４２】
図１および図２に本発明にかかる超短パルスレーザビームのフィラメント形成装置の一実施形態を示す。このフィラメント形成装置は、独立制御可能な複数のアクチュエータを備える可変形ミラーを用いたものであり、反射面が任意に変形可能な反射ミラー（本明細書では可変形ミラーと呼ぶ）２と、該可変形ミラー２の背面側に連結されて可変形ミラー２に対して変位を与えるアクチュエータ８とを備え、アクチュエータ８の駆動によって可変形ミラー２を大域的に変形可能としたものである。
【００４３】
ここで、可変形ミラー２としては、独立して制御可能な複数本のアクチュエータ８の駆動により反射面が任意に変形可能な薄肉の平面ミラーが採用されている。本実施形態の場合、アクチュエータ８の駆動により所望の大域的凹部を容易に形成できる程度の剛性を有するものであり、例えば縦横寸法が１００×１００（ｍｍ）程度の正方形状のミラーにおいては厚さ３ｍｍ程度の薄肉の平面鏡の使用が好ましい。
【００４４】
反射ミラー２の背面はアクチュエータ８に連結され、アクチュエータ８を介してフレーム１に支持されている。本実施形態では、１３本のアクチュエータ８が可変形ミラー２の裏面全域にほぼ均等な間隔で縦横並びに対角線上に配置されているが、この本数に特に限られるものではない。
【００４５】
アクチュエータ８は、反射ミラーの背面に固着されているロッド３を含み、該ロッド３が当該アクチュエータ８の可動部（本実施形態ではロッドホルダ４）に対して切り離し可能に連結されている。例えば、アクチュエータ８は、駆動素子６の先端に固定されているロッドホルダ４の少なくともロッド３を固定する端部側にロッド３を嵌め込む孔を設け、ロッド３の後端側を嵌め込んだ状態でロッド３をねじ５で締め付けることによって着脱可能に固定されている。本実施形態では、ロッドホルダ４のねじ孔に螺合されたねじ５の先端でロッド３の外周面を押しつけることによって摩擦力でロッド３を固定するようにしているが、場合によってはピンなどで着脱可能に連結しても良い。ロッド３を簡単に着脱できる構造とすることによって、可変形ミラー２の反射特性が劣化した場合など、可変形ミラー２の交換が必要となった場合には、ビス５を弛めてロッドホルダ４からロッド３を取り外すことで、劣化した可変形ミラー２（裏面に接着されたロッド３を含む）だけを交換することができる。即ち、ロッドホルダ４、アクチュエータ８及び支持フレーム１はそのまま再利用できるので経済的である。
【００４６】
アクチュエータと可変形ミラー２との連結は、本実施形態の場合、エポキシ樹脂系接着剤７を使って、ロッド３の先端と可変形ミラー２の背面とを接着することによって行われている。この場合、厚さ３ｍｍという薄肉の可変形ミラー２では、接着剤７が硬化するときの応力変化の影響がミラー表面に現れやすく、アクチュエータ８が接着された部分の可変形ミラーの表面側（反射面側）が僅かに隆起した。例えばエポキシ樹脂系接着剤７でロッド３を接着させた本実施形態の場合、０．４μｍの凸部９が形成された。ここで、接着剤の硬化または固化により形成される凸部または凹部が局部的であれば、超短パルスレーザビームが反射したときに生ずるビームの波面に与えられる局所的な空間変調は、フィラメントを形成する起点となる十分なものとなる。また、接着剤を利用して生じさせた高さ０．４μｍ程度の隆起や窪みであれば、可変形ミラー２の鏡面を蒸着形成して製作する時、予め蒸着面手前に穴開きマスクをセットし、蒸着工程時に鏡面蒸着の膜厚を局部的にコントロールすることで局部的凸部または凹部を形成することも可能である。
【００４７】
ここで、可変形ミラーの厚みが大域的な凹部が形成できる程度の可撓性を有する厚さであっても、接着剤によってロッドを直付けすることにより局部的な凸部または凹部が形成されないことがある。例えば、図７は厚さ３ｍｍの可変形ミラー２の表面形状を示す。この場合には、点状の局部的な隆起（凸部）あるいは窪み（凹部）が発生している。他方、図６には厚さ６ｍｍの可変形ミラー２の表面形状を示す。この場合には、図６のミラーとは異なって、点状の局部的な隆起（凸部）あるいは窪み（凹部）が発生していない。これは、可変形ミラーが厚過ぎるので、接着剤の硬化時または固化時の収縮やストレスでは局部的隆起あるいは窪みが起きないものと思われる。このことから、ロッド３の接着によってミラー表面に局部的凸部または凹部を形成する場合には、厚さ２〜３ｍｍ程度のミラーを使用することが好ましい。勿論、可変形ミラー２の裏面とアクチュエータの接着剤による直付けによって局部的な凸部または凹部を形成しないのであれば、例えば蒸着膜の制御などで局部的な凸部または凹部を形成するのであれば、アクチュエータ８の駆動によって大域的な凹部が形成できる程度の可撓性を有する厚さであれば実施可能である。
【００４８】
また、駆動素子６としては、圧電素子（ＰＺＴ：Ｐｂ−Ｚｒ−Ｔｉ）または電歪素子（ＰＭＮ：Ｐｂ−Ｍｇ−Ｎｂ）などの、可変形ミラーの微小変位を可能とする駆動源が用いられている。電歪素子などの駆動素子の場合、印加電圧の大きさや方向を切り替えることで、駆動素子の変位方向・量を容易に制御できるので使用が好ましいが、これに限られるものではない。駆動素子６はフレーム１の土台に対して垂直に配置されている壁１ｂに固定され、可動部となるロッドホルダ４は貫通孔を有する壁１ａを通して前後方向（図上左右）へ進退動可能に支持されている。可変形ミラー２は互いに平行に配置された複数のアクチュエータ８の駆動を適宜制御することによって、即ちロッド３を前方に押し出すアクチュエータ８と後方へ引き戻すアクチュエータ８あるいは駆動させないアクチュエータ８とを組み合わせることによって、可変形ミラー２の所望の領域に大域的凹部を形成するように変形させられる。
【００４９】
以上のように構成されたフィラメント形成装置に超短パルスレーザビームを入射し、その反射光を大気中伝播させたときにフィラメントが生成されることを以下に説明する。尚、説明を簡単にするため、一辺１００ｍｍのミラーに対して超短パルスレーザビームの直径を５０√２ｍｍとすることで、１３本のアクチュエータのうちの、中心付近の５本（符号Ｅ，Ｊ，Ｋ，Ｌ，Ｍ）について注目することとした。
【００５０】
まず、反射面に局部的な凸部または凹部を有する反射ミラーのみを使ってフィラメントを形成する方法について説明する。図７に示すような点状の局部的な隆起（凸部）あるいは窪み（凹部）が発生している反射ミラーを超短パルスレーザビームの光路上へ介装することによって、波面が整った超短パルスビームであっても（図４（Ａ）参照）、反射ビーム中には、ミラー表面の局部的な凸部または凹部に応じた局所的な空間変調がビームの波面に与えられ（図４（Ｂ）参照）、ビームの伝播の過程で前述のビームの波面に与えられる局所的な空間変調がさらに顕著となり（図４（Ｃ，Ｄ）参照）、これが起点（種）となってフィラメントをビーム伝播の過程で形成する。このフィラメントは、反射ミラーの表面の局部的な凸部または凹部の存在により安定して生成されることから、局部的な凸部または凹部を任意の位置に形成することで、ビーム断面の任意の位置に一意的に連続して形成される。図１０は近距離におけるビーム１３の断面強度分布を示し、図１１は遠距離におけるビーム１３の断面強度分布を示す。このように、ミラー中央部に作られた局部的凸部または凹部によって単一のフィラメント１４が優先的に生成されていることが判る。超短パルスレーザビームを反射させて大気中伝播させた場合、反射したビームの断面には、強度斑によってフィラメントの起点１１が生成され、さらに伝播が進む中でフィラメント１４が成長することが判明した。
【００５１】
次ぎに、局部的凸部または凹部とそれよりも大きな大域的な凹部を有する反射ミラーを使ってフィラメントを形成する方法について説明する。図９に示すように、符号Ｅ，Ｊ，Ｋ，Ｌ，Ｍの５個のアクチュエータ８を駆動させ、可変形ミラー２を裏面側から引っ張って、可変形ミラー２の表面側を大域的に窪ませて変形させる。この状態においても、図３に示すように、アクチュエータによってミラー表面形状が大域的な凹部１０に形成され尚かつ局部的凸部９（または凹部）が存在する特殊な表面形状が実現されている（図１０参照）。これによって、局部的凸部９または凹部の周りあるいはビーム断面の局部的な凸部または凹部の周りに相当する位置に、反射ビームのエネルギあるいは周辺の強度斑を中心となる強度斑の周りに集合させて、フィラメント生成の起点となる強度斑の電界強度をより強くしてビーム伝播中のフィラメント生成をより確実なものにする。図１２に可変形ミラーの中央部を引っ張ったときのビーム断面の状態を示す。ビーム中央部に相当するミラー中央部のアクチュエータ（Ｅ）を引っ張ってミラー中央部に大域的凹部を形成した場合、周辺の強度斑がビーム中央に集合し高密度のフィラメント１４が形成された（図１２参照）。
【００５２】
さらに、ビーム断面上における大域的凹部の形成位置を制御することによって、フィラメント１４が生成される位置を制御できる。例えば、ビーム中央部に相当するミラー中央部のアクチュエータ（Ｅ）を引っ張ってミラー中央部に大域的凹部１０を形成した場合、周辺の強度斑がビーム中央に集合し高密度のフィラメント１４が形成された（図１２参照）。他方、反射ミラーのビームが照射される領域１２内のミラー周辺部（ビーム周辺部）に相当するアクチュエータ（Ｍ）を引っ張ってミラー周辺部に大域的凹部を形成した場合、強度斑もビーム周辺部に片寄り、周辺部の方がフィラメントの形成が顕著となって高密度のフィラメント１４が形成された（図１３参照）。このことから、反射ミラーの表面のフィラメント生成の起点となる局部的な凸部または凹部の位置を変更しなくとも、反射ミラー表面に形成される大域的凹部の形成位置を制御することでフィラメントが顕著に形成される位置、高密度のフィラメントが形成される位置を制御できることが明らかになった。
【００５３】
したがって、このフィラメントは、例えば放電経路のコントロールに応用することができる。また、フィラメントを用いた伝播は屈折率の非線形効果を伴うために多波長でかつ連続なスペクトルとなり、大気環境計測などにおいて多種多様な測定種に対し同時計測にも応用できる。また、高密度のガス中で超短パルスレーザビームを伝播させる場合、大気中で伝播させる場合と比べてプラズマの発生がより顕著である。フィラメントには超高強度のレーザ電場が局在しているため、発生したプラズマとレーザ電場との相互作用により電子を加速させることが可能となる。また、発生したプラズマを光増幅媒質とした場合は誘電放出が可能となり、長尺で連続したフィラメントを用いれば増幅効率が向上する。さらに、ガラスなどの固体媒質中に超短パルス高強度レーザを伝播させる場合でもフィラメントの発生が顕著である。その伝播の際、媒質の組成が変化するために局部的に屈折率や透過率を変化させるなどして微細な加工や改質が可能であり、長尺で連続したフィラメントを用いれば導波路などの加工も容易になると考えられる。
【００５４】
このことから、前述のレーザ誘雷技術の他、多種同時計測による大気環境計測や、フィラメントを光増幅媒質にして誘導放出させる光増幅、電子を加速させる粒子加速、そして媒質の組成を変化させるレーザ加工などに応用可能である。
【００５５】
なお、上述の形態は本発明の好適な形態の一例ではあるがこれに限定されるものではなく、本発明の要旨を逸脱しない範囲において種々変形実施可能である。
【００５６】
例えば、本実施形態では図５（Ａ）に示すような１枚の薄肉反射鏡による可変形ミラー２を用いて、局部的凸部または凹部と大域的凹部とを形成し、フィラメント発生の起点を生成する工程と、超短パルスレーザビームのエネルギあるいは周辺の強度斑を中心の強度斑の周りに集合させる工程とを同時に実施させる例を挙げて主に説明しているが、図５（Ｂ）に示すように局部的凸部または凹部を有する第１のミラー２’と大域的凹部を有する第２のミラー２”との少なくとも２枚のミラーを光路上で組み合わせ、上述の２つの工程を別々の反射ミラーで前後させて実施することも可能である。これによっても、反射ビーム断面の任意の部位に任意の密度のフィラメントを生成させたり、あるいは大域的凹部の形成位置を制御することによりフィラメントの生成位置を任意に制御することも可能である。
【００５７】
この局部的凸部または凹部を有する第１のミラーと大域的凹部を形成する第２のミラーとを組み合わせてフィラメントを形成する装置の場合、第１のミラーの局部的凸部または凹部と第２のミラーの大域的凹部は共に変位または変形しない固定的構成としても良いが、それぞれ可動的な構成としても良い。例えば、図１４に示すように、超短パルスレーザビームの光路上に局部的凸部９を有する第１の反射ミラー２’とビーム断面の局部的凸部９の周りに相当する位置に大域的な凹部１０を形成する可変形ミラーから成る第２の反射ミラー２”を配置し、超短パルスレーザビームがこれら第１及び第２のミラー２’，２”間を経由して反射する間に、ビーム断面の任意の部位に強度斑を作ってその周りあるいは複数形成された強度斑のうちの任意の１つあるいは複数の強度斑の周りに超短パルスレーザビームのエネルギあるいは周辺の強度斑を集合させるようにすることも可能である。ここで、第１の反射ミラー２’と第２の反射ミラー２”とは独立して制御可能とできるので、第１の反射ミラー２’をＸ−Ｙ方向に制御可能とすることにより反射面に形成した局部的凸部９のビーム断面上における位置を変更することができる。また、可変形ミラーから成る第２の反射ミラー２”は、可変形ミラーの背面側にそれぞれ独立制御可能な複数のアクチュエータ８を備えているので、アクチュエータ８の駆動により反射面を任意の曲率の大域的凹部１０としたり、あるいは大域的凹部１０の曲率中心位置、形状などを制御して、ビーム断面におけるフィラメントの形成位置、強度、密度などを自在に制御できる。また、第１の反射ミラー２’は、場合によっては局部的凸部９が異なる位置に形成された別のミラーを用意しておき、これを交換することによって局部的凸部９あるいは凹部の位置を変更可能とすることもある。
【００５８】
また、上記実施形態においては可変形ミラー２の裏面にロッド３を接着剤７で直に接着した構造が示されたが、アクチュエータ８の駆動素子そのものあるいは駆動素子に固着された部材の先端部を直にミラー裏面に接着し、可変形ミラー２をアクチュエータ８で直接担持することもできる。
【図面の簡単な説明】
【００５９】
【図１】本発明の超短パルスレーザビームのフィラメント制御装置の一実施形態を示す概略説明図である。
【図２】本実施形態の可変形ミラーの正面図（反射面側）である。
【図３】ミラーの反射面における局部的凸部と大域的凹部との関係を示す原理図である。
【図４】超短パルスレーザビームの反射の前後における波面の変化を示す説明図であり、（Ａ）は入射するビーム波面、（Ｂ〜Ｄ）は局部的凸部を有する反射面で反射したビーム波面の経時変化を示す。
【図５】本発明のフィラメント形成方法を実施する例を示す原理図であり、（Ａ）は１枚のミラーで局部的凸部と大域的凹部を実現する例、（Ｂ）は２枚の反射ミラーを組み合わせて局部的凸部と大域的凹部を実現する例をそれぞれ示す。
【図６】厚さ６ｍｍの可変形ミラーの表面形状を示す説明図である。
【図７】厚さ３ｍｍの可変形ミラーの表面形状を示す説明図である。
【図８】実施形態の可変形ミラーをアクチュエータでミラー表面側へ押して隆起変形させた場合の表面形状を示す説明図である。
【図９】実施形態の可変形ミラーをアクチュエータでミラー裏面側へ引っ張って窪み変形させた場合の表面形状を示す説明図である。
【図１０】近距離のビーム断面強度を示す説明図である。
【図１１】遠距離のビーム断面強度を示す説明図である。
【図１２】実施形態の可変形ミラーをアクチュエータでミラー中央部を引っ張って窪み変形させた場合のビーム断面強度を示す説明図である。
【図１３】実施形態の可変形ミラーをアクチュエータでミラー周辺部を引っ張って窪み変形させた場合のビーム断面強度を示す説明図である。
【図１４】２枚の反射ミラーを組み合わせて局部的凸部と大域的凹部を実現する例の原理図である。
【図１５】均一なビーム断面強度の一般例を示す図である。
【図１６】波面歪み時にフィラメントが発生する一般例を示す図である。
【符号の説明】
【００６０】
１  フレーム
２  可変形ミラー
２’  第１の反射ミラー
２”  第２の反射ミラー  
３  ロッド（支持部材）
４  ロッドホルダ
６  アクチュエータ
７  接着剤
９  局部的凸部または凹部
１０  大域的凹部
１３  反射ビーム
１４  フィラメント
【図１】
2006269878.tif 000003
【図２】
2006269878.tif 000004
【図３】
2006269878.tif 000005
【図４】
2006269878.tif 000006
【図５】
2006269878.tif 000007
【図１４】
2006269878.tif 000008
【図６】
2006269878.tif 000009
【図７】
2006269878.tif 000010
【図８】
2006269878.tif 000011
【図９】
2006269878.tif 000012
【図１０】
2006269878.tif 000013
【図１１】
2006269878.tif 000014
【図１２】
2006269878.tif 000015
【図１３】
2006269878.tif 000016
【図１５】
2006269878.tif 000017
【図１６】
2006269878.tif 000018